【事件の表示】
　特許第３２３４５８３号「画像記録装置、その方法及びそのプログラムを記録している媒体並びに画像再生装置、その方法及びそのプログラムを記録している媒体」の請求項１、２、４、５、７ないし１１に係る特許に対する特許異議の申立てについて、次のとおり決定する。
【結　論】
　訂正を認める。
　特許第３２３４５８３号の請求項１、２、４、５、７ないし１１に係る特許を維持する。
【理　由】
第１　【手続きの経緯】
　特許第３２３４５８３号の発明は、平成１１年３月３０日に特許出願され、平成１３年９月２１日にその特許の設定登録がなされ、その後、その特許について、異議申立人大木茂より特許異議の申立てがなされ、取消しの理由が通知され、その指定期間内である平成１４年１１月１５日に訂正請求がなされたものである。　　　　　　　　　　　
　　　　　　　　　　　　　
第２　【訂正の適否についての判断】
　１　［訂正の内容］
　特許権者が求めている訂正の内容は、以下の（１）ないし（９）のとおりである。
（１）訂正事項ａ
　特許請求の範囲の記載を次のとおりに訂正する。
「【請求項１】　１画面分の画像情報に他の情報を埋め込んで記録する画像記録装置であって、
　１画面の一部の領域を示す領域情報を記憶している領域記憶手段と、
　１画面分の画像情報と他の情報とを受け取る受信手段と、
　各画像情報が前記領域情報により示される領域に含まれるか否かを判断する判断手段と、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段とを備え、
　前記第１の埋込方法による前記画像情報の画質の劣化は、前記第２の埋込方法による前記画像情報の画質の劣化より大き
く、　前記埋込手段は、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　【請求項２】　前記一部の領域は、前記画面の主要部分以外である
　ことを特徴とする請求項１に記載の画像記録装置。
　【請求項３】　前記第１の埋込方法では、前記画像情報の全桁に前記他の情報の一部を埋め込み、
　前記第２の埋込方法では、前記画像情報の下位桁に前記他の情報の一部を埋め込む
　ことを特徴とする請求項２に記載の画像記録装置。
　【請求項４】　請求項１に記載の画像記録装置により、他の情報が埋め込まれた１画面分の画像情報から画像を再生し、他の情報を読み出す画像再生装置であって、
　１画面の一部の領域を示す領域情報を記憶している領域記憶手段と、
　他の情報が埋め込まれた１画面分の画像情報を受け取る受信手段と、
　各画像情報が前記領域情報により示される領域に含まれるか否かを判断する判断手段と、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、
　前記他の情報が埋め込まれた１画面分の画像情報を再生する再生手段とを備え、
　前記第１の抽出方法は、前記第１の埋込方法により埋め込まれた情報を抽出する方法であり、前記第２の抽出方法は、前記第２の埋込方法により埋め込まれた情報を抽出する方法であ
り、　前記読出手段は、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　【請求項５】　前記一部の領域は、前記画面の主要部分以外である
　ことを特徴とする請求項４に記載の画像再生装置。
　【請求項６】　前記第１の抽出方法では、前記画像情報の全桁から前記他の情報の一部を抽出し、
　前記第２の抽出方法では、前記画像情報の下位桁から前記他の情報の一部を抽出する
　ことを特徴とする請求項５に記載の画像再生装置。
　【請求項７】　１画面分の画像情報に他の情報を埋め込んで記録し、他の情報が埋め込まれた１画面分の画像情報から画像を再生し他の情報を読み出す画像記録再生装置であって、
　１画面の一部の領域を示す領域情報を記憶している領域記憶手段と、
　１画面分の画像情報と他の情報とを受け取る受信手段と、
　各画像情報が前記領域情報により示される領域に含まれるか否かを判断する判断手段と、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段と、
　前記他の情報の一部が埋め込まれた画像情報を含む１画面分の画像情報を記憶する記憶手段と、
　前記記憶手段から他の情報が埋め込まれた１画面分の画像情報を読み出す画像読出手段と、
　各画像情報が前記領域情報により示される領域に含まれるか否かを判断する判断手段と、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、
　前記他の情報が埋め込まれた１画面分の画像情報を再生する再生手段と
　を備え、
　前記第１の埋込方法による前記画像情報の画質の劣化は、前記第２の埋込方法による前記画像情報の画質の劣化より大きく、
　前記第１の抽出方法は、前記第１の埋込方法により埋め込まれた情報を抽出する方法であり、前記第２の抽出方法は、前記第２の埋込方法により埋め込まれた情報を抽出する方法であ
り、　前記埋込手段は、前記第１の埋込方法により、前記領域情報により示される領城に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込み、　前記読出手段は、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　【請求項８】　１画面の一部の領域を示す領域情報を記憶している領域記憶手段を備え１画面分の画像情報に他の情報を埋め込んで記録する画像記録装置で用いられる画像記録方法であって、
　１画面分の画像情報と他の情報とを受け取る受信ステップと、
　各画像情報が前記領域情報により示される領域に含まれるか否かを判断する判断ステップと、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込ステップとを含み、
　前記第１の埋込方法による前記画像情報の画質の劣化は、前記第２の埋込方法による前記画像情報の画質の劣化より大き
く、　前記埋込ステップは、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　【請求項９】　１画面の一部の領域を示す領域情報を記憶している領域記憶手段を備え請求項１に記載の画像記録装置により、他の情報が埋め込まれた１画面分の画像情報から画像を再生し、他の情報を読み出す画像再生装置で用いられる画像再生方法であって、
　他の情報が埋め込まれた１画面分の画像情報を受け取る受信ステップと、
　各画像情報が前記領域情報により示される領域に含まれるか否かを判断する判断ステップと、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出ステップと
　前記他の情報が埋め込まれた１画面分の画像情報を再生する再生ステップとを含み、
　前記第１の抽出方法は、前記第１の埋込方法により埋め込まれた情報を抽出する方法であり、前記第２の抽出方法は、前記第２の埋込方法により埋め込まれた情報を抽出する方法であ
り、　前記読出ステップは、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　【請求項１０】　１画面の一部の領域を示す領域情報を記憶している領域記憶手段を備え１画面分の画像情報に他の情報を埋め込んで記録するコンピュータで用いられる画像記録プログラムを記録している記録媒体であって、
　前記プログラムは、
　１画面分の画像情報と他の情報とを受け取る受信ステップと、
　各画像情報が前記領域情報により示される領域に含まれるか否かを判断する判断ステップと、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込ステップとを含み、
　前記第１の埋込方法による前記画像情報の画質の劣化は、前記第２の埋込方法による前記画像情報の画質の劣化より大き
く、　前記埋込ステップは、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　【請求項１１】　１画面の一部の領域を示す領域情報を記憶している領域記憶手段を備え請求項１に記載の画像記録装置により他の情報が埋め込まれた１画面分の画像情報から画像を再生し、他の情報を読み出すコンピュータで用いられる画像再生プログラムを記録している記録媒体であって、
　前記プログラムは、
　他の情報が埋め込まれた１画面分の画像情報を受け取る受信ステップと、
　各画像情報が前記領域情報により示される領域に含まれるか否かを判断する判断ステップと、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出ステップと
　前記他の情報が埋め込まれた１画面分の画像情報を再生する再生ステップとを含み、
　前記第１の抽出方法は、前記第１の埋込方法により埋め込まれた情報を抽出する方法であり、前記第２の抽出方法は、前記第２の埋込方法により埋め込まれた情報を抽出する方法であ
り、　前記読出ステップは、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
（２）訂正事項ｂ
　特許明細書の段落【００５９】の記載を次のとおりに訂正する。
「
この構成によると、前記領域情報により示される領域に含まれない画像情報において画質劣化を少なくしつつ、他の情報を埋め込むことができるという効果がある。
（３）訂正事項ｃ
　特許明細書の段落【００６１】の「この構成によると、額縁領域及びその他の領域に書き込まれた情報を読み出して、再生することができるという効果がある。」とある記載を次のとおりに訂正する。
「この構成によると、
前記領域情報により示される領域
（４）訂正事項ｄ
　特許明細書の段落【００６２】の記載を次のとおりに訂正する。
「
この構成によると、前記領域情報により示される領域に含まれない画像情報において画質劣化を少なくしつつ、他の情報を埋め込むことができるという効果がある。
前記領域情報により示される領域
（５）訂正事項ｅ
　特許明細書の段落【００６４】の記載を次のとおりに訂正する。
「この方法を用いると、
前記領域情報により示される領域に含まれない画像情報において画質劣化を少なくしつつ、他の情報を埋め込むことができるという効果がある。
（６）訂正事項ｆ
　特許明細書の段落【００６６】の「この方法を用いると、額縁領域及びその他の領域に書き込まれた情報を読み出して、再生することができるという効果がある。」とある記載を次のとおりに訂正する。
「この方法を用いると、
前記領域情報により示される領域
（７）訂正事項ｇ
　特許明細書の段落【００６７】の記載を次のとおりに訂正する。
「このプログラムをコンピュータにより実行することにより、
前記領域情報により示される領域に含まれない画像情報において画質劣化を少なくしつつ、他の情報を埋め込むことができるという効果がある。
（８）訂正事項ｈ
　特許明細書の段落【００６９】の記載を次のとおりに訂正する。
「このプログラムをコンピュータにより実行することにより、
前記領域情報により示される領域
（９）訂正事項ｉ
　図１０を、訂正請求書に添付の図１０のとおりに訂正する。
　２　［訂正の目的の適否、新規事項の有無及び拡張・変更の存否］
　上記訂正事項ａは、特許明細書の段落【０００９】、【００１７】、【００１９】、【００２０】、【００２５】及び【００２６】の記載に基づいて、特許請求の範囲を限定するものであり、特許請求の範囲の減縮を目的とした訂正に該当する。また上記訂正事項ｂないしｈは、いずれも明りょうでない記載の釈明を目的とした訂正に該当する。さらに上記訂正事項ｉは、特許明細書の段落【００１８】の記載に基づいて、図１０の誤記を訂正したものであり、誤記又は誤訳の訂正を目的とした訂正に該当する。
　そして、上記訂正事項ａないしｉは、いずれも特許明細書に記載されている事項の範囲内のものであり、新規事項の追加に該当せず、また実質上特許請求の範囲を拡張し、又は変更するものでもない。
　３　［独立特許要件］
　訂正明細書の請求項３及び６は、請求項１を間接的に引用するものであり、その請求項１は、上記のように訂正されているのであるから、請求項３及び６についても訂正がなされている。
　したがって、上記訂正事項ａの請求項３及び６に係る訂正は、特許異議の申立てがされていない請求項についての訂正であって、特許請求の範囲の減縮を目的とした訂正に該当するから、訂正明細書の請求項３及び６に係る発明の独立特許要件について検討する。
　訂正明細書の請求項３及び６に係る発明は、訂正明細書の特許請求の範囲の請求項３及び６に記載された事項により特定されるとおりのものであって（上記第２の１［訂正の内容］参照。）、同請求項１に係る発明の構成要件を全て含むものである。
　そして、当該請求項１に係る発明が、下記第３の４のように、申立人が提出した全刊行物に記載された発明に基づいて当業者が容易に発明できたものと認めることができないので、同様の理由により、訂正明細書の請求項３及び６に係る発明は、申立人が提出した全刊行物に記載された発明に基づいて当業者が容易に発明できたものと認めることができない。
　したがって、訂正明細書の請求項３及び６に係る発明は、出願の際、独立して特許を受けることができるものである。
　４　［むすび］
　以上のとおりであるから、上記訂正は、特許法第１２０条の４第２項及び第３項において準用する同法第１２６条第２項から第４項の規定に適合するので、当該訂正を認める。　　　　
　　　　　　　　　　　　　　　　　　　
第３　【特許異議の申立てについての判断】
　１　［申立ての理由の概要］
　異議申立人大木茂は、証拠として、甲第１号証：特開平６−１１３１１６号公報、甲第２号証：特開平１１−３２２０２号公報、甲第３号証：特開平１１−７５０５３号公報、参考資料１：特開平１１−５５６１８号公報及び参考資料２：特開平１１−７３７２５号公報を提出し、特許請求の範囲の請求項１、２、４、５、７ないし１１に係る発明についての特許は、特許法第２９条第２項の規定に違反してなされたものであり、また特許明細書の【発明の効果】の記載は不明瞭であり、特許法第３６条第６項第１号の規定を満たしていないから、特許を取り消すべき旨、主張している。
　２　［本件発明］
　本件特許第３２３４５８３号の請求項１、２、４、５、７ないし１１に係る発明は、訂正明細書の特許請求の範囲の請求項１、２、４、５、７ないし１１に記載された事項により特定されるとおりのものである（上記第２の１［訂正の内容］参照）。
　３　［引用刊行物記載の発明］
　当審が通知した取消理由に引用した刊行物１（上記甲第１号証）には、「画像形成装置」に関し、図面と共に次の（１）、（２）のとおりの記載がある。
（１）「【００５０】さらに、初期設定時のプリンタのγ特性が原画像濃度と出力画像が一致するように、ＬＵＴ２０１４にて変換される。一方、機番パターン発生回路２０１５により、機械固有のパターンを発生する。ここでは、目視で分解能が一番劣るＹ（イエロー）のみの画像信号に、ＩＴＯＰ発生回路２１１３により画像の書きだし位置の基準信号を参照して変調量を決定する。変調量制御回路２０１６を通り、コンパレート回路２０１７により重畳合成される。」（公報７頁左欄８行ないし１６行）
（２）「【００５２】機番パターンは、フルカラー画像形成された後に、３５０ｎｍのシャープバンドフィルタを通して観察することにより、イエローの信号だけを分離することにより判読でき、仮に偽造が行なわれたとしても、どの機械で行なわれたのかを特定することが可能となる。図２１は第２の実施例において記録材の位置に対する変調量の設定例を示す図である。
【００５３】本実施例において、画像を形成する領域は、図２１に示す様に、記録材の端から内側に入った所に設定してある。これは、画像域を記録材より大きくとると、転写ドラムを汚し、最終的には、機内を汚してしまうからである。従って、機番を示すパターンを記録材一面に重畳させると、画像濃度信号がほとんど０の濃度がほとんど載っていないところが、画像域の境界線にあった場合、機番パターンと縁の余白との濃度ギャップから、あたかも画像域にガブリが発生しているかのごとく見えてしまうことになる。
【００５４】そこで、図２１に示す様に、ＩＴＯＰ信号からタイミングをとり、画像書きだし位置では変調量を０にして、境界面から離れるように従い、変調量をアップすることにより、画像書きだし位置のパターン重畳によるガブリを目立たなくすることができる。以上説明したように、第２の実施例によれば、複数色の色材により形成された画像を重ねることでフルカラー画像を形成し、なおかつ、特定色の画像に、画像形成装置固有の情報を重畳する画像形成装置において、画像部の境界線からの距離に応じて、前記重畳パターンの変調量を変えることにより、画像境界域に発生する、重畳パターンによるガブリを目立たなくするという効果がある。」（公報７頁左欄２５行ないし同頁右欄３行）
　同じく引用した刊行物２（上記甲第２号証）には、「画像処理装置及びその方法」に関し、図面と共に次の（１）、（２）のとおりの記載がある。
（１）「【００２４】ＲＯＭ２４には、各画像処理別に最適なパターンを表すパターン情報を登録してある。機番パターン発生回路２５は、セレクタ１４からの画像処理選択信号（２値化出力用の画像処理と多値出力用の画像処理のいずれが選択されたかを示す信号）に基づいて適切なパターン情報をＲＯＭ２４から取り出し、パターン変調制御部２６に渡す。例えば、上述のように２値化出力用画像処理が選択された場合には、図４のドットパターン（以下、単位ドットともいう）が選択される。そして、パターン変調制御部２６は、選択されたドットパターンを、目視で分解能が一番劣るＹ（Ｙｅｌｌｏｗ）の画像信号に、ＲＯＭ２４から読み取られた機番に対応するドットパターン群（以下、機番パターンともいう）を重畳させるための重畳信号を出力する。」（公報４頁右欄３７行ないし５０行）
（２）「【００７７】［第３の実施形態］次に第３の実施形態について説明する。第３の実施形態では、１枚の画像出力物の中で、画像処理を切り替えた場合を説明する。
【００７８】図２０は第３の実施形態の画像形成装置の外観を示す図である。原稿台押さえの圧板７２上で座標位置を指示するペン型指示器７１と座標位置が検知できるセンサとを備えた、いわゆるエディタ装置が備え付けられている。複写したい原稿を圧板７２上の指示されている位置に付き当ててのせ、ペン型指示器７１によって複数の領域を指定する。図２１は領域の指定状態の位置例を示す図である。本例では、領域Ａと領域Ｂが指定されている。そして例えば、領域Ａには写真のような階調特性を有した画像が、領域Ｂには文字／線画を中心とした画像が記録されているものとする。従って、写真のような階調特性を有した領域Ａには階調再現の得意な画像処理が、一方、文字／線画を中心とした細部の再現性を必要とする領域Ｂは、解像再現の特異な画像処理で処理するように、操作パネルと前記エディタ装置で、領域と画像処理の対応を指示する。
【００７９】図２２は第３の実施形態による画像処理手順を説明する図である。第１の実施形態で説明した図３と同様の構成については同一の参照番号が付されている。
【００８０】画像領域セレクタ８１は、上述の如く設定された領域に応じて、画像信号の供給先を切替る。すなわち、走査位置が領域Ａである場合は画像信号を多値出力用画像処理に提供するために、マスキング／ＵＣＲ回路２０へ出力する。一方、走査位置が領域Ｂである場合には、２値化出力用画像処理を適用するために、画像信号を２値化処理回路１５に供給する。
【００８１】また、画像領域セレクタ８１において選択された画像処理を表す情報が機番パターン発生回路２５とパターン変調制御部２６に供給され、第１の実施形態と同様の手順で、各画像処理に適したドットパターン（図４、図５）が選択され、機番パターンが重畳される。
【００８２】以上説明したように、第３の実施形態によれば、階調部と文字／線画部とが１枚の画像に混在する場合であっても、それぞれに最適な画像処理への切替を実現すると共に、それに対応して適切なドットパターンを用いて機番パターンの重畳を行うことが可能となる。従って、１枚の画像において複数種類の画像処理を必要とするような場合でも、確実に判読ができるどっとパターンを重畳することが可能となる。」（公報９頁左欄４２行ないし同頁右欄３５行）
　同じく引用した刊行物３（上記甲第３号証）には、「画像処理装置及びその方法及び記憶媒体」に関し、図面と共に次のとおりの記載がある。
「【００４５】まず、検査ドットの解読は、例えば付加情報の付加されたカラー画像をスキャナーで読み取り、Ｙ（イエロー）のプレーンの画像のみをホストコンピュータに抽出し、このホストコンピュータのモニタ上で検査ドットの各位置を確認することによって行う。」（公報５頁右欄４６行ないし５０行）
　４　［当審の判断］
（１）特許法第２９条第２項違反について
　ア　本件請求項１に係る発明について
　本件請求項１に係る発明は、訂正明細書の記載によれば、画像を音声などの情報とともに記録すると、画像のみを記録する場合と比較してデータ容量が増えるので、データの保管や伝送が効率よく行えなくなるという問題点に鑑み、データ容量の増加を抑え、画像の一部分の劣化を少なくしつつ、画像を他の多量のデータとともに圧縮して記録することを目的として（【発明が解決しようとする課題】欄の記載参照）、請求項１に記載の構成を採用、特に、「前記埋込手段は、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む」点の構成を採用したものといえる。
　これに対して、刊行物１には、機番パターン発生回路２０１５により、機械固有のパターンを発生し、目視で分解能が一番劣るＹ（イエロー）のみの画像信号に、ＩＴＯＰ発生回路２１１３により画像の書きだし位置の基準信号を参照して変調量を決定し、変調量制御回路２０１６を通り、コンパレート回路２０１７により重畳合成することが記載されており（刊行物１の上記（１）の記載参照）、また図２１に示す様に、ＩＴＯＰ信号からタイミングをとり、画像書きだし位置では変調量を０にして、境界面から離れるように従い、変調量をアップすることにより、画像書きだし位置のパターン重畳によるガブリを目立たなくすることが記載されている（刊行物１の上記（２）の記載参照）。また刊行物２には、機番パターン発生回路２５は、セレクタ１４からの画像処理選択信号（２値化出力用の画像処理と多値出力用の画像処理のいずれが選択されたかを示す信号）に基づいて適切なパターン情報をＲＯＭ２４から取り出し、パターン変調制御部２６に渡し、パターン変調制御部２６は、選択されたドットパターンを、目視で分解能が一番劣るＹ（Ｙｅｌｌｏｗ）の画像信号に、ＲＯＭ２４から読み取られた機番に対応するドットパターン群（以下、機番パターンともいう）を重畳させるための重畳信号を出力することが記載されており（刊行物２の上記（１）の記載参照）、また階調部と文字／線画部とが１枚の画像に混在する場合であっても、それぞれに最適な画像処理への切替を実現すると共に、それに対応して適切なドットパターンを用いて機番パターンの重畳を行うことが可能となることが記載されている（刊行物２の上記（２）の記載参照）。さらに刊行物３には、検査ドットの解読は、例えば付加情報の付加されたカラー画像をスキャナーで読み取り、Ｙ（イエロー）のプレーンの画像のみをホストコンピュータに抽出し、このホストコンピュータのモニタ上で検査ドットの各位置を確認することによって行うことが記載されている（刊行物３の上記記載参照）。
　しかしながら、上記各刊行物のいずれにも本件請求項１の上記摘示した点の構成については何も記載がなく、示唆もない。
　以上のように、上記各刊行物のいずれにも本件請求項１の上記摘示した点の構成について記載も示唆もないのであるから（この点は、参考資料１、２の記載をみても同様）、これらの各刊行物の記載内容を組み合わせても本件請求項１に係る発明が容易になし得るとはいえない。
　そして、本件請求項１に係る発明は、上記摘示した点の構成を採用することによって、「この構成によると、前記領域情報により示される領域に含まれない画像情報において画質劣化を少なくしつつ、他の情報を埋め込むことができるという効果がある。」（訂正明細書の【発明の効果】欄の記載）という訂正明細書記載の顕著な効果を奏するものとといえる。
　イ　本件請求項２、４、５、９、１１に係る発明について
　本件請求項２、４、５、９、１１に係る発明は、本件請求項１に係る発明を引用し、更に限定事項を付加したものであるから、本件請求項１に係る発明について検討した上記アと同様の理由により、上記各刊行物に記載の発明から当業者が容易になし得るとはいえない。
　ウ　本件請求項７に係る発明について
　本件請求項７に係る発明は、本件請求項１の上記摘示した点の構成を有し、更に限定事項（「再生手段」、「読出手段」の点）を付加したものであるから、本件請求項１係る発明について検討した上記アと同様の理由により、上記各刊行物の記載の発明から当業者が容易になし得るとはいえない。
　エ　本件請求項８に係る発明について
　本件請求項８に係る発明は、本件請求項１係る発明の装置を方法としたものであって、本件請求項１係る発明について検討した上記アと同様の理由により、上記各刊行物の記載の発明から当業者が容易になし得るとはいえない。
　オ　本件請求項１０に係る発明について
　本件請求項１０に係る発明は、本件請求項１の上記摘示した点の構成を含む記録媒体としたものであって、本件請求項１係る発明について検討した上記アと同様の理由により、上記各刊行物の記載の発明から当業者が容易になし得るとはいえない。
（２）特許法第３６条第６項第１号違反について
　特許明細書の【発明の効果】欄は、訂正明細書のとおり訂正されており（上記第２の１の（２）から（８）を参照）、特許明細書の記載不備は解消している。　　　　　　　　　　　　　　　　　　　　　　　　　　　
第４　【むすび】
　以上のとおりであるから、特許異議申立ての理由及び証拠によっては、本件請求項１、２、４、５、７ないし１１の特許を取り消すことはできない。
　また、他に本件請求項１、２、４、５、７ないし１１に係る特許を取り消すべき理由を発見しない。
　よって、結論のとおり決定する。
【異議決定日】
平成１４年１２月１０日（２００２．１２．１０）
【訂正の要旨】
訂正の要旨
ａ．特許請求の範囲の請求項１において「前記第１の埋込方法による前記画像情報の画質の劣化は、前記第２の埋込方法による前記画像情報の画質の劣化より大きい」とあるのを、特許請求の範囲の減縮を目的として「前記第１の埋込方法による前記画像情報の画質の劣化は、前記第２の埋込方法による前記画像情報の画質の劣化より
大きく、前記埋込手段は、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　ｂ．特許請求の範囲の請求項４において「前記第１の抽出方法は、前記第１の埋込方法により埋め込まれた情報を抽出する方法であり、前記第２の抽出方法は、前記第２の埋込方法により埋め込まれた情報を抽出する方法である」とあるのを、特許請求の範囲の減縮を目的として「前記第１の抽出方法は、前記第１の埋込方法により埋め込まれた情報を抽出する方法であ
り、前記第２の抽出方法は、前記第２の埋込方法により埋め込まれた情報を抽出する方法であり、前記読出手段は、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ｃ．特許請求の範囲の請求項７において「前記第１の抽出方法は、前記第１の埋込方法により埋め込まれた情報を抽出する方法であり、前記第２の抽出方法は、前記第２の埋込方法により埋め込まれた情報を抽出する方法である」とあるのを、特許請求の範囲の減縮を目的として「前記第１の抽出方法は、前記第１の埋込方法により埋め込まれた情報を抽出する方法であり、前記第２の抽出方法は、前記第２の埋込方法により埋め込まれた情報を抽出する方法であ
り、前記埋込手段は、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込み、前記読出手段は、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ｄ．特許請求の範囲の請求項８及び１０において「前記第１の埋込方法による前記画像情報の画質の劣化は、前記第２の埋込方法による前記画像情報の画質の劣化より大きい」とあるのを、特許請求の範囲の減縮を目的として「前記第１の埋込方法による前記画像情報の画質の劣化は、前記第２の埋込方法による前記画像情報の画質の劣化より大き
く、前記埋込ステップは、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　ｅ．特許請求の範囲の請求項９及び１１において「前記第１の抽出方法は、前記第１の埋込方法により埋め込まれた情報を抽出する方法であり、前記第２の抽出方法は、前記第２の埋込方法により埋め込まれた情報を抽出する方法である」とあるのを、特許請求の範囲の減縮を目的として「前記第１の抽出方法は、前記第１の埋込方法により埋め込まれた情報を抽出する方法であり、前記第２の抽出方法は、前記第２の埋込方法により埋め込まれた情報を抽出する方法であ
り、前記読出ステップは、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ｆ．明細書の段落番号００５９に、「この構成によると、額縁領域に多量のデータを埋め込むことができる。額縁領域では画質劣化が著しく発生するが、画像の主要部分以外を額縁領域として設定すれば、画像劣化が問題とならない。例えば、画像の中央部が主要部分であるなら、画像の周辺部分を額縁領域とすればよい。こうして、画像の主要部分に画質劣化を起こさず品質を保ちながら、他のデータを付加して画像を圧縮できるという効果がある。」とあるのを、明りょうでない記載の釈明を目的として、「
この構成によると、前記領域情報により示される領域に含まれない画像情報において画質劣化を少なくしつつ、他の情報を埋め込むことができるという効果がある。
　ｇ．明細書の段落番号００６１の冒頭に、「この構成によると、額縁領域及びその他の領域に書き込まれた情報を読み出して、再生することができるという効果がある。」とあるのを、明りょうでない記載の釈明を目的として、「この構成によると、
前記領域情報により示される領域
　ｈ．明細書の段落番号００６２に、「この構成によると、額縁領域に多量のデータを埋め込むことができる。額縁領域では画質劣化が著しく発生するが、画像の主要部分以外を額縁領域として設定すれば、画像劣化が問題とならない。例えば、画像の中央部が主要部分であるなら、画像の周辺部分を額縁領域とすればよい。こうして、画像の主要部分に画質劣化を起こさず品質を保ちながら、他のデータを付加して画像を圧縮できるという効果がある。また、額縁領域及びその他の領域に書き込まれた情報を読み出して、再生することができるという効果がある。」とあるのを、明りょうでない記載の釈明を目的として、「
この構成によると、前記領域情報により示される領域に含まれない画像情報において画質劣化を少なくしつつ、他の情報を埋め込むことができるという効果がある。
前記領域情報により示される領域
　ｉ．明細書の段落番号００６４に、「この方法を用いると、額縁領域に多量のデータを埋め込むことができる。額縁領域では画質劣化が著しく発生するが、画像の主要部分以外を額縁領域として設定すれば、画像劣化が問題とならない。例えば、画像の中央部が主要部分であるなら、画像の周辺部分を額縁領域とすればよい。こうして、画像の主要部分に画質劣化を起こさず品質を保ちながら、他のデータを付加して画像を圧縮できるという効果がある。」とあるのを、明りょうでない記載の釈明を目的として、「この方法を用いると、
前記領域情報により示される領域に含まれない画像情報において画質劣化を少なくしつつ、他の情報を埋め込むことができるという効果がある。
　ｊ．明細書の段落番号００６６の冒頭に、「この方法を用いると、額縁領域及びその他の領域に書き込まれた情報を読み出して、再生することができるという効果がある。」とあるのを、明りょうでない記載の釈明を目的として、「この方法を用いると、
前記領域情報により示される領域
　ｋ．明細書の段落番号００６７に、「このプログラムをコンピュータにより実行することにより、額縁領域に多量のデータを埋め込むことができる。額縁領域では画質劣化が著しく発生するが、画像の主要部分以外を額縁領域として設定すれば、画像劣化が問題とならない。例えば、画像の中央部が主要部分であるなら、画像の周辺部分を額縁領域とすればよい。こうして、画像の主要部分に画質劣化を起こさず品質を保ちながら、他のデータを付加して画像を圧縮できるという効果がある。」とあるのを、明りょうでない記載の釈明を目的として、「このプログラムをコンピュータにより実行することにより、
前記領域情報により示される領域に含まれない画像情報において画質劣化を少なくしつつ、他の情報を埋め込むことができるという効果がある。
　ｌ．明細書の段落番号００６９に、「このプログラムをコンピュータにより実行することにより、額縁領域及びその他の領域に書き込まれた情報を読み出して、再生することができるという効果がある。」とあるのを、明りょうでない記載の釈明を目的として、「このプログラムをコンピュータにより実行することにより、
前記領域情報により示される領域
　ｍ．図１０を、誤記の訂正を目的として、請求書に添付の図１０のとおり訂正する。すなわち、参照符号２２３の指し示す範囲が、量子化ＤＣＴ係数２１３の
最下位ビットから１ビット分
最下位ビットから２ビット分
最下位ビットから１ビット分
最下位ビットから２ビット分
（５４）【発明の名称】
画像記録装置、その方法及びそのプログラムを記録している媒体並びに画像再生装置、その方法及びそのプログラムを記録している媒体
（５７）【特許請求の範囲】
　【請求項１】　１画面分の画像情報に他の情報を埋め込んで記録する画像記録装置であって、
　１画面の一部の領域を示す領域情報を記憶している領域記憶手段と、
　１画面分の画像情報と他の情報とを受け取る受信手段と、
　各画像情報が前記領域情報により示される領域に含まれるか否かを判断する判断手段と、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段とを備え、
　前記第１の埋込方法による前記画像情報の画質の劣化は、前記第２の埋込方法による前記画像情報の画質の劣化より大き
く、
　前記埋込手段は、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　ことを特徴とする画像記録装置。
　【請求項２】　前記一部の領域は、前記画面の主要部分以外である
　ことを特徴とする請求項１に記載の画像記録装置。
　【請求項３】　前記第１の埋込方法では、前記画像情報の全桁に前記他の情報の一部を埋め込み、
　前記第２の埋込方法では、前記画像情報の下位桁に前記他の情報の一部を埋め込む
　ことを特徴とする請求項２に記載の画像記録装置。
　【請求項４】　請求項１に記載の画像記録装置により、他の情報が埋め込まれた１画面分の画像情報から画像を再生し、他の情報を読み出す画像再生装置であって、
　１画面の一部の領域を示す領域情報を記憶している領域記憶手段と、
　他の情報が埋め込まれた１画面分の画像情報を受け取る受信手段と、
　各画像情報が前記領域情報により示される領域に含まれるか否かを判断する判断手段と、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、
　前記他の情報が埋め込まれた１画面分の画像情報を再生する再生手段とを備え、
　前記第１の抽出方法は、前記第１の埋込方法により埋め込まれた情報を抽出する方法であり、前記第２の抽出方法は、前記第２の埋込方法により埋め込まれた情報を抽出する方法であ
り、
　前記読出手段は、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ことを特徴とする画像再生装置。
　【請求項５】　前記一部の領域は、前記画面の主要部分以外である
　ことを特徴とする請求項４に記載の画像再生装置。
　【請求項６】　前記第１の抽出方法では、前記画像情報の全桁から前記他の情報の一部を抽出し、
　前記第２の抽出方法では、前記画像情報の下位桁から前記他の情報の一部を抽出する
　ことを特徴とする請求項５に記載の画像再生装置。
　【請求項７】　１画面分の画像情報に他の情報を埋め込んで記録し、他の情報が埋め込まれた１画面分の画像情報から画像を再生し他の情報を読み出す画像記録再生装置であって、
　１画面の一部の領域を示す領域情報を記憶している領域記憶手段と、
　１画面分の画像情報と他の情報とを受け取る受信手段と、
　各画像情報が前記領域情報により示される領域に含まれるか否かを判断する判断手段と、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段と、
　前記他の情報の一部が埋め込まれた画像情報を含む１画面分の画像情報を記憶する記憶手段と、
　前記記憶手段から他の情報が埋め込まれた１画面分の画像情報を読み出す画像読出手段と、
　各画像情報が前記領域情報により示される領域に含まれるか否かを判断する判断手段と、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、
　前記他の情報が埋め込まれた１画面分の画像情報を再生する再生手段と
　を備え、
　前記第１の埋込方法による前記画像情報の画質の劣化は、前記第２の埋込方法による前記画像情報の画質の劣化より大きく、
　前記第１の抽出方法は、前記第１の埋込方法により埋め込まれた情報を抽出する方法であり、前記第２の抽出方法は、前記第２の埋込方法により埋め込まれた情報を抽出する方法であ
り、
　
前記埋込手段は、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込み、
　前記読出手段は、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ことを特徴とする画像記録再生装置。
　【請求項８】　１画面の一部の領域を示す領域情報を記憶している領域記憶手段を備え１画面分の画像情報に他の情報を埋め込んで記録する画像記録装置で用いられる画像記録方法であって、
　１画面分の画像情報と他の情報とを受け取る受信ステップと、
　各画像情報が前記領域情報により示される領域に含まれるか否かを判断する判断ステップと、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込ステップとを含み、
　前記第１の埋込方法による前記画像情報の画質の劣化は、前記第２の埋込方法による前記画像情報の画質の劣化より大き
く、
　前記埋込ステップは、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　ことを特徴とする画像記録方法。
　【請求項９】　１画面の一部の領域を示す領域情報を記憶している領域記憶手段を備え請求項１に記載の画像記録装置により、他の情報が埋め込まれた１画面分の画像情報から画像を再生し、他の情報を読み出す画像再生装置で用いられる画像再生方法であって、
　他の情報が埋め込まれた１画面分の画像情報を受け取る受信ステップと、
　各画像情報が前記領域情報により示される領域に含まれるか否かを判断する判断ステップと、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出ステップと
　前記他の情報が埋め込まれた１画面分の画像情報を再生する再生ステップとを含み、
　前記第１の抽出方法は、前記第１の埋込方法により埋め込まれた情報を抽出する方法であり、前記第２の抽出方法は、前記第２の埋込方法により埋め込まれた情報を抽出する方法であ
り、
　前記読出ステップは、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ことを特徴とする画像再生方法。
　【請求項１０】　１画面の一部の領域を示す領域情報を記憶している領域記憶手段を備え１画面分の画像情報に他の情報を埋め込んで記録するコンピュータで用いられる画像記録プログラムを記録している記録媒体であって、
　前記プログラムは、
　１画面分の画像情報と他の情報とを受け取る受信ステップと、
　各画像情報が前記領域情報により示される領域に含まれるか否かを判断する判断ステップと、
　前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込ステップとを含み、
　前記第１の埋込方法による前記画像情報の画質の劣化は、前記第２の埋込方法による前記画像情報の画質の劣化より大き
く、
　前記埋込ステップは、前記第１の埋込方法により、前記領域情報により示される領域に含まれる画像情報のうちの第１の所定の桁範囲を、前記他の情報の一部に置き換えることにより埋め込み、前記第２の埋込方法により、前記領域情報により示される領域に含まれない画像情報のうちの、前記第１の所定の桁範囲とは異なる第２の所定の桁範囲を、前記他の情報の一部に置き換えることにより埋め込む
　ことを特徴とする記録媒体。
　【請求項１１】　１画面の一部の領域を示す領域情報を記憶している領域記憶手段を備え請求項１に記載の画像記録装置により他の情報が埋め込まれた１画面分の画像情報から画像を再生し、他の情報を読み出すコンピュータで用いられる画像再生プログラムを記録している記録媒体であって、
　前記プログラムは、
　他の情報が埋め込まれた１画面分の画像情報を受け取る受信ステップと、
　各画像情報が前記領域情報により示される領域に含まれるか否かを判断する判断ステップと、
　前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出ステップと
　前記他の情報が埋め込まれた１画面分の画像情報を再生する再生ステップとを含み、
　前記第１の抽出方法は、前記第１の埋込方法により埋め込まれた情報を抽出する方法であり、前記第２の抽出方法は、前記第２の埋込方法により埋め込まれた情報を抽出する方法であ
り、
　前記読出ステップは、前記第１の抽出方法により、前記領域情報により示される領域に含まれる画像情報のうちの第１の所定の桁範囲から、前記他の情報の一部を読み出し、前記第２の抽出方法により、前記領域情報により示される領域に含まれない画像情報のうちの、前記第１の所定の桁範囲とは異なる第２の所定の桁範囲から、前記他の情報の一部を読み出す
　ことを特徴とする記録媒体。
【発明の詳細な説明】
　【０００１】
　【発明の属する技術分野】
　本発明は、画像に別の情報を不可視の状態で隠し持たせる電子透かし技術を利用する画像符号化技術及び画像復号化技術に関する。
　【０００２】
　【従来の技術】
　近年、コンピュータの量産技術は目覚しく、高性能ないわゆるパソコンが市場に低価格で多量に提供されている。それに相俟って、多くの人がパソコンを利用し、自らオリジナルのデジタルコンテンツを作成し、インターネットを介してそれらコンテンツの情報発信を行っている。通常、情報発信するデジタルコンテンツと言えば文章はもちろんのことデジタルカメラ等で撮像したＪＰＥＧ画像が多い。これは、人間特有の高い視覚認識性により、静止画で十分情報が伝えられるからである。また、ＪＰＥＧ画像を用いると、静止画が圧縮されて静止画のデータ容量が少なくなり、データの管理や伝送が効率よく行える。
　【０００３】
　最近では、音情報を静止画に加えることにより、聴覚をも利用した情報提供をしたいとの要求も多くなっている。このような場合、静止画に音情報を加えたデジタルファイル形式として、ＦｌａｓｈＰｉｘ等が利用されている。また、非圧縮ファイルである画像に別情報を多量に埋め込む方式が、「複雑さによる領域分割を利用した画像深層暗号化法」（新見他、電子情報通信学会技術報告、ＩＥ９７−１４（１９９７−０５））に提案されている。
　【０００４】
　【発明が解決しようとする課題】
　しかしながら、画像を音声などの情報とともに記録すると、画像のみを記録する場合と比較してデータ容量が増えるので、データの保管や伝送が効率よく行えなくなるという問題点がある。
　本発明は、上記の問題点を解決するため、データ容量の増加を抑え、画像の一部分の劣化を少なくしつつ、画像を他の多量のデータとともに圧縮して記録する画像記録装置、画像記録方法、画像記録プログラムを記録している記録媒体、及び圧縮された画像を復号して再生する画像再生装置、画像再生方法、画像再生プログラムを記録している記録媒体を提供することを目的とする。
　【０００５】
　【課題を解決するための手段】
　上記目的を達成するため、本発明は、１画面分の画像情報に他の情報を埋め込んで記録する画像記録装置であって、１画面の一部の領域を示す領域情報を記憶している領域記憶手段と、１画面分の画像情報と他の情報とを受け取る受信手段と、各画像情報が前記領域情報により示される領域に含まれるか否かを判断する判断手段と、前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段とを備え、前記第１の埋込方法による前記画像情報の画質の劣化は、前記第２の埋込方法による前記画像情報の画質の劣化より大きいことを特徴とする。
　ここで、前記一部の領域は、前記画面の主要部分以外であるとしてもよい。
　ここで、前記第１の埋込方法では、前記画像情報の全桁に前記他の情報の一部を埋め込み、前記第２の埋込方法では、前記画像情報の下位桁に前記他の情報の一部を埋め込むとしてもよい。
　【０００６】
　また、本発明は、前記画像記録装置により、他の情報が埋め込まれた１画面分の画像情報から画像を再生し、他の情報を読み出す画像再生装置であって、１画面の一部の領域を示す領域情報を記憶している領域記憶手段と、他の情報が埋め込まれた１画面分の画像情報を受け取る受信手段と、各画像情報が前記領域情報により示される領域に含まれるか否かを判断する判断手段と、前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、前記他の情報が埋め込まれた１画面分の画像情報を再生する再生手段とを備え、前記第１の抽出方法は、前記第１の埋込方法により埋め込まれた情報を抽出する方法であり、前記第２の抽出方法は、前記第２の埋込方法により埋め込まれた情報を抽出する方法であることを特徴とする。
　ここで、前記一部の領域は、前記画面の主要部分以外であるとしてもよい。
　ここで、前記第１の抽出方法では、前記画像情報の全桁から前記他の情報の一部を抽出し、前記第２の抽出方法では、前記画像情報の下位桁から前記他の情報の一部を抽出するとしてもよい。
　【０００７】
　【発明の実施の形態】
１．実施の形態１
　本発明に係る実施の形態の１つとしての、デジタルスチルカメラ１について説明する。
１．１　デジタルスチルカメラ１の構成
　デジタルスチルカメラ１は、図１及び図２に示すように、正面にスピーカ１１、マイク１２、レンズ１８を備え、背面に画像表示部１３、再生ボタン２１ａ、２１ｂ、ファインダー１７を備え、上面にシャッターボタン１４、シャッター速度や絞り値などを表示する状態表示部１５を備え、側面にメモリカード２０が挿入されるメモリカード挿入口１９を備える。
　【０００８】
　デジタルスチルカメラ１は、図３のブロック図に示すように、撮像部３１、撮影画像メモリ３３、符号化部３４、符号用メモリ３５、メモリカード入出力部３６、集音部４１、オーディオ符号化部４３、オーディオメモリ４４、判定値記憶部３７、復号化部６２、オーディオメモリ５４、オーディオ復号化部５３、音声再生部５１、表示用画像メモリ６１、画像表示部１３から構成され、符号化部３４は、図４のブロック図に示すように、ＤＣＴ部７１、量子化部７２、データ埋込部７３、ハフマン符号化部７４から構成され、復号化部６２は、図５のブロック図に示すように、ハフマン復号化部８４、データ抽出部８３、逆量子化部８２、逆ＤＣＴ部８１から構成される。
（撮像部３１）
　撮像部３１は、レンズ１８、ＣＣＤなどから構成され、シャッターボタン１４が押されたときに、レンズ１８を経由して外部から入射された光線を受光して電気信号に変換して、横６４０画素、縦４８０画素、合計３０７２００画素からなるデジタル化された輝度信号Ｙと、それぞれ横３２０画素、縦２４０画素、合計７６８００画素からなるデジタル化された色差信号Ｃｒ、Ｃｂとを形成し、形成された１画面分の輝度信号Ｙと色差信号Ｃｒ、Ｃｂとを撮影画像メモリ３３へ書き込む。図６に、デジタル化された１画面分の輝度信号Ｙ１０１を示す。デジタル化された１画面分の輝度信号Ｙ１０１は、横８０ブロック、縦６０ブロック、合計４８００個のブロックから構成され、各ブロックは、横８画素、縦８画素、合計６４個の画素から構成される。ブロック１０２は、１画面分の輝度信号Ｙ１０１に含まれる１つのブロックである。デジタル化された１画面分の色差信号Ｃｒ、Ｃｂも、同様に、それぞれ、横４０ブロック、縦３０ブロック、合計１２００個のブロックから構成される。
（撮影画像メモリ３３）
　撮影画像メモリ３３は、前記デジタル化された１画面分の輝度信号Ｙ１０１と、１画面分の色差信号Ｃｒ、Ｃｂとを一時的に記憶する。
（集音部４１）
　集音部４１は、マイク１２、増幅器、ＡＤ変換回路、量子化回路などから構成され、シャッターボタン１４が押されたときから５秒間、外部の音声を集音し、集音した音声をアナログの電気信号に変換し、アナログの電気信号を４４ｋＨｚのサンプリング周波数でサンプリングし、サンプリングされた各アナログの電気信号を８ビットのデジタル信号に変換し、前記デジタル信号をオーディオ符号化部４３へ出力する。
（オーディオ符号化部４３）
　オーディオ符号化部４３は、ＭＰＥＧ１オーディオ符号化の規格に基づいて、音声が変換されて生成された前記デジタル信号を変換してオーディオビットストリーム１１１を生成し、生成したオーディオビットストリーム１１１のビット長ｍをカウントし、生成したオーディオビットストリーム１１１をオーディオメモリ４４へ出力し、ビット長ｍを符号化部３４のデータ埋込部７３へ出力する。なお、ＭＰＥＧ１オーディオ符号化の規格については、公知であるので、説明を省略する。
（オーディオメモリ４４）
　オーディオメモリ４４は、オーディオ符号化部４３により、生成されたオーディオビットストリーム１１１を記憶する。
（判定値記憶部３７）
　判定値記憶部３７は、図７に示す判定情報テーブル２００と、図８に示す額縁情報テーブル２５０とを有する。
　【０００９】
　判定情報テーブル２００は、係数ビット数２０１と埋込ビット数２０２と判定値２０３との組を複数個記憶している。係数ビット数２０１は、量子化ＤＣＴ係数のビット数を示し、埋込ビット数２０２は、量子化ＤＣＴ係数の最下位ビットから何ビットの他のデータを埋め込むかを示し、判定値２０３は、量子化ＤＣＴ係数に他のデータを埋め込むか否かを判定するために用いるしきい値であり、量子化ＤＣＴ係数が判定値２０３よりも大きいか又は等しい場合に、他のデータの埋め込みが行われ、量子化ＤＣＴ係数が判定値２０３よりも小さい場合に、他のデータの埋め込みは行われない。
　【００１０】
　額縁情報テーブル２５０は、左上Ｘ座標２５１、左上Ｙ座標２５２、右下Ｘ座標２５３、右下Ｙ座標２５４の組を少なくとも１個記憶している。前記各組は１画面内の矩形領域の位置を示しており、左上Ｘ座標２５１、左上Ｙ座標２５２、右下Ｘ座標２５３、右下Ｙ座標２５４は、それぞれ、前記矩形領域の左上点のＸ座標、左上点のＹ座標、右下点のＸ座標、右下点のＹ座標を示している。図８に示す額縁情報テーブル２５０は、一例として４個の矩形領域の位置を記憶している。
　【００１１】
　図９において、１画面分の輝度信号３００は、矩形領域３０１、３０２、３０３、３０４を含んでおり、矩形領域３０１、３０２、３０３、３０４は、それぞれ図８に示す額縁情報テーブル２５０に記憶されている４個の矩形領域に相当する。これらの４個の矩形領域を合わせて額縁領域と呼ぶ。
（ＤＣＴ部７１）
　ＤＣＴ部７１は、撮影画像メモリ３３に記憶されているデジタル化された１画面分の輝度信号Ｙ１０１、デジタル化された１画面分の色差信号Ｃｒ、Ｃｂに含まれる各ブロックを順次読み出し、読み出したブロック毎に、直交変換の一種である離散コサイン変換を施して、６４個のＤＣＴ係数から構成されるＤＣＴ係数ブロックを生成し、生成したＤＣＴ係数ブロックを量子化部７２へ出力する。
　【００１２】
　ここで、ＤＣＴ係数は、直流（ＤＣ）成分と交流（ＤＣ）成分とから構成され、生成された６４個のＤＣＴ係数のうち、最初の１個のＤＣＴ係数は、直流成分であり、残りの６３個のＤＣＴ係数は交流成分である。ブロックからなる画像に対してＤＣＴ変換を施すと、前記の交流成分において、画像情報が主に低周波成分に集中する。このため、少ないビット数で高能率に符号化するために、低周波成分のＤＣＴ係数に多くのビット数が用いられる。
　【００１３】
　なお、離散コサイン変換については、公知であるので、説明を省略する。
（量子化部７２）
　量子化部７２は、横８要素×縦８要素、合計６４個の要素からなる量子化テーブルを備え、ＤＣＴ部７１から受け取ったＤＣＴ係数ブロックを構成する各ＤＣＴ係数と、対応する量子化テーブルの各要素とを用いて、式１により、６４個の量子化ＤＣＴ係数から構成される量子化ＤＣＴ係数ブロックを生成し、生成した量子化ＤＣＴ係数ブロックをデータ埋込部７３へ出力する。
（式１）
　　量子化ＤＣＴ係数＝ｒｏｕｎｄ（ＤＣＴ係数／量子化テーブルの要素）
ここで、ｒｏｕｎｄは、もっとも近い整数への整数化を意味する関数である。
　【００１４】
　人間の視覚は、ローパス・フィルタの特性を持っていると言われており、高周波成分には鈍感である。従って、高周波成分については、少々粗い量子化を行っても、その影響は目立たない。そのため、量子化テーブルの高周波成分には、大きな値が設定され、低周波成分には、小さな値が設定される。このため、高周波成分の量子化ＤＣＴ係数は、少ないビット数で表現でき、低周波成分の量子化ＤＣＴ係数は、多くのビット数を用いて表現される。
（データ埋込部７３）
　データ埋込部７３は、埋込終了フラグを有する。埋込終了フラグは、オーディオビットストリーム１１１の量子化ＤＣＴ係数ブロックへの埋め込みが終了しているか否かを示すフラグである。埋込終了フラグがＯＦＦのとき、オーディオビットストリームの量子化ＤＣＴ係数ブロックへの埋め込みは終了しておらず、埋込終了フラグがＯＮのとき、オーディオビットストリームの量子化ＤＣＴ係数ブロックへの埋め込みは終了している。
　【００１５】
　データ埋込部７３は、量子化部７２から量子化ＤＣＴ係数ブロックを受け取る。
　次に、データ埋込部７３は、埋込終了フラグがＯＮに設定されているか否かを判断し、ＯＦＦに設定されている場合には、オーディオビットストリームの量子化ＤＣＴ係数ブロックへの埋め込みは終了していないので、以下に示すデータの埋め込みを行う。ＯＮに設定されている場合には、オーディオビットストリームの量子化ＤＣＴ係数ブロックへの埋め込みは終了しているので、以下に示すデータの埋め込みを行わない。
　【００１６】
　データ埋込部７３は、受け取った量子化ＤＣＴ係数ブロックが、額縁情報テーブル２５０に記憶されている額縁領域内に存在するか否かを判断する。
　データ埋込部７３が、受け取った量子化ＤＣＴ係数ブロックが、額縁情報テーブル２５０に記憶されている額縁領域内に存在しないと判断する場合、データ埋込部７３は、量子化ＤＣＴ係数ブロックの６４個の量子化ＤＣＴ係数のうち、１個のＤＣ（直流）成分の量子化ＤＣＴ係数を除く、６３個のＡＣ（交流）成分の量子化ＤＣＴ係数（以下、ＡＣ成分の量子化ＤＣＴ係数をＡＣ係数と称する。）を、ジグザグスキャンの順序で、１つずつ取り出す。
　【００１７】
　データ埋込部７３は、前記取り出したＡＣ係数のビット数に一致する係数ビット数２０１を判定情報テーブル２００から検索し、一致する係数ビット数２０１に対応する埋込ビット数２０２と判定値２０３とを取り出す。前記取り出したＡＣ係数の絶対値と、判定値２０３とを比較して、ＡＣ係数の絶対値の方が大きいか又は等しい場合には、取り出したＡＣ係数の最下位ビットから埋込ビット数２０２で示されるビット数分を他のデータを埋め込む埋込ビットとする。ＡＣ係数の絶対値の方が小さい場合には、取り出したＡＣ係数に他のデータの埋め込みは行わない。
　【００１８】
　判定情報テーブル２００に示す量子化ＤＣＴ係数のビット数と、データの埋め込み位置との関係を、図１０に示す一例を用いて説明する。この図には、４種類のビット長を有する量子化ＤＣＴ係数が示されている。量子化ＤＣＴ係数２１１は３ビットからなり、量子化ＤＣＴ係数２１１の最下位ビットから１ビット分が埋込ビット２２１となる。量子化ＤＣＴ係数２１２は４ビットからなり、量子化ＤＣＴ係数２１２の最下位ビットから１ビット分が埋込ビット２２２となる。同様に、５ビットからなる量子化ＤＣＴ係数２１３の最下位ビットから２ビット分が埋込ビット２２３となり、６ビットからなる量子化ＤＣＴ係数２１４の最下位ビットから２ビット分が埋込ビット２２４となる。
　【００１９】
　データ埋込部７３は、オーディオメモリ４４に記憶されているオーディオビットストリーム１１１から、埋込ビット数２０２により示されるビット数を有するビット列を順に取り出し、前記埋込ビットを前記取り出したビット列に置き換える。この置き換えをビット列の埋め込みと呼ぶ。
　次に、データ埋込部７３が、受け取った量子化ＤＣＴ係数ブロックが、額縁情報テーブル２５０に記憶されている額縁領域内に存在すると判断する場合、データ埋込部７３は、量子化ＤＣＴ係数ブロックの６４個の量子化ＤＣＴ係数のうち、１個のＤＣ成分の量子化ＤＣＴ係数を除く、６３個のＡＣ成分の量子化ＤＣＴ係数を、ジグザグスキャンの順序で、１つずつ取り出す。
　【００２０】
　データ埋込部７３は、オーディオメモリ４４に記憶されているオーディオビットストリーム１１１から、前記取り出したＡＣ係数のビット数に一致するビット数を有するビット列を順に取り出し、前記ＡＣ係数を前記取り出したビット列に置き換える。
　ＡＣ係数のビット数と、データの埋め込み位置との関係を、図１１に示す一例を用いて説明する。この図には、４種類のビット長を有する量子化ＤＣＴ係数が示されている。量子化ＤＣＴ係数２１６は３ビットからなり、量子化ＤＣＴ係数２１６の全ビットに、オーディオビットストリーム１１１から、取り出された前記ビット列が埋め込まれる。量子化ＤＣＴ係数２１７は４ビットからなり、全ビットに取り出された前記ビット列が埋め込まれる。量子化ＤＣＴ係数２１８、２１９についても同様である。
　【００２１】
　データ埋込部７３は、各ＡＣ係数に対する前記のビット列の埋め込み処理が終了すると、オーディオビットストリーム１１１の一部が埋め込まれた量子化ＤＣＴ係数を含む量子化ＤＣＴ係数ブロックをハフマン符号化部７４へ出力する。
　次に、オーディオビットストリーム１１１が、１画面分の輝度信号Ｙの量子化ＤＣＴ係数に、どのように埋めこまれるかを、図１２を用いて説明する。この図に示すように、オーディオビットストリーム１１１は、ビット列１２０、１２１、１２２、１２３、・・・１２４、１２５、・・・から構成され、１画面分の輝度信号Ｙの量子化ＤＣＴ係数１４１は、ブロック１３０、１３１、１３２、１３３、・・・１３４、１３５、・・・から構成される。オーディオビットストリーム１１１に含まれるビット列１２０、１２１、１２２、１２３、・・・、１２４、１２５、・・・は、それぞれ、１画面分の輝度信号Ｙの量子化ＤＣＴ係数１４１のブロック１３０、１３１、１３２、１３３、・・・１３４、１３５、・・・に埋め込まれる。
　【００２２】
　次に、オーディオビットストリーム１１１に含まれるビット列１２３が、１画面分の輝度信号Ｙの量子化ＤＣＴ係数１４１に含まれるブロック１３３に、どのように埋めこまれるかを、図１３を用いて説明する。
　ここで、ブロック１３３は、額縁領域に含まれるブロックである。
　オーディオビットストリーム１１１に含まれるビット列１２３は、ビット列１２３ａ、１２３ｂ、１２３ｃ、１２３ｄ、・・・、１２３ｅから構成され、１画面分の輝度信号Ｙの量子化ＤＣＴ係数１４１に含まれるブロック１３３は、ＤＣ成分の量子化ＤＣＴ係数ＤＣ、ＡＣ成分の量子化ＤＣＴ係数ＡＣ１、ＡＣ２、ＡＣ３、ＡＣ４、・・・、ＡＣ６３から構成される。ビット列１２３ａ、１２３ｂ、１２３ｃ、１２３ｄ、・・・、１２３ｅは、それぞれ、ＡＣ成分の量子化ＤＣＴ係数ＡＣ１、ＡＣ２、ＡＣ３、ＡＣ４、・・・、ＡＣ６３に埋め込まれる。
　【００２３】
　次に、オーディオビットストリーム１１１に含まれるビット列１２４が、１画面分の輝度信号Ｙの量子化ＤＣＴ係数１４１に含まれるブロック１３４に、どのように埋めこまれるかを、図１４を用いて説明する。
　ここで、ブロック１３４は、額縁領域に含まれないブロックである。
　オーディオビットストリーム１１１に含まれるビット列１２４は、ビット列１２４ａ、１２４ｂ、１２４ｃ、１２４ｄ、１２４ｅ、１２４ｆ、１２４ｇから構成され、１画面分の輝度信号Ｙの量子化ＤＣＴ係数１４１に含まれるブロック１３４は、ＤＣ成分の量子化ＤＣＴ係数ＤＣ、ＡＣ成分の量子化ＤＣＴ係数ＡＣ１、ＡＣ２、ＡＣ３、ＡＣ４、ＡＣ５、ＡＣ６、ＡＣ７、・・・から構成される。ビット列１２４ａ、１２４ｂ、１２４ｃ、１２４ｄ、１２４ｅ、１２４ｆ、１２４ｇは、それぞれ、ＡＣ成分の量子化ＤＣＴ係数ＡＣ１、ＡＣ２、ＡＣ３、ＡＣ４、ＡＣ５、ＡＣ６、ＡＣ７の下位ビットに埋め込まれる。
　【００２４】
　なお、データ埋込部７３が、６４個の量子化ＤＣＴ係数のうち、１個のＤＣ（直流）成分の量子化ＤＣＴ係数を除いて、埋め込みを行う理由は、次のとおりである。１つの量子化ＤＣＴ係数ブロックに含まれるＤＣ成分の量子化ＤＣＴ係数は、１つ前のブロックに含まれるＤＣ成分の量子化ＤＣＴ係数との差分値により表現されている。したがって、仮に、各ブロックのＤＣ成分の量子化ＤＣＴ係数にも埋め込みを行うとすると、埋め込まれたビット列による誤差が累積し、後のＤＣ成分の量子化ＤＣＴ係数は、無視できない影響を受け、このようにして符号化された圧縮画像を復号して生成した画像は、人間の視覚により明らかに異なって見える可能性が高いと考えられるからである。
（ハフマン符号化部７４）
　ハフマン符号化部７４は、データ埋込部７３から受け取った量子化ＤＣＴ係数ブロックを用いて、ハフマン符号化して、圧縮画像の一部である圧縮符号列を生成し、生成した圧縮符号列を符号用メモリ３５へ書き込む。
（符号用メモリ３５）
　符号用メモリ３５は、符号化部３４により符号化された圧縮画像を一時的に記憶する。
（メモリカード入出力部３６）
　メモリカード入出力部３６は、符号用メモリ３５に記憶されている圧縮画像をメモリカード２０へ書き込み、利用者により再生ボタン２１ａ、２１ｂが操作された場合に、メモリカード２０に記憶されている圧縮画像を読み出し、読み出した圧縮画像を符号用メモリ３５へ書き込む。
（ハフマン復号化部８４）
　ハフマン復号化部８４は、符号用メモリ３５に記憶されている圧縮画像からブロックの先頭コードを検出し、圧縮画像をブロック毎にハフマン復号して、６４個の量子化ＤＣＴ係数からなる量子化ＤＣＴ係数ブロックを複数個繰り返し生成し、生成した量子化ＤＣＴ係数ブロックをデータ抽出部８３と逆量子化部８２とへ出力する。
（データ抽出部８３）
　データ抽出部８３は、ハフマン復号化部８４から量子化ＤＣＴ係数ブロックを受け取る。
　【００２５】
　データ抽出部８３は、受け取った量子化ＤＣＴ係数ブロックが、額縁情報テーブル２５０に記憶されている額縁領域内に存在するか否かを判断する。
　データ抽出部８３は、受け取った量子化ＤＣＴ係数ブロックが、額縁情報テーブル２５０に記憶されている額縁領域内に存在しないと判断する場合、前記受け取った量子化ＤＣＴ係数ブロックの６４個の量子化ＤＣＴ係数のうち、１個のＤＣ係数を除く、６３個のＡＣ係数を、ジグザグスキャンの順序で、１つずつ取り出す。取り出した１つのＡＣ係数から次に示すようにして、オーディオビットストリームの一部を取り出し、取り出したオーディオビットストリームの一部をオーディオメモリ５４へ書き込む。データ抽出部８３は、６３個のＡＣ係数について、前記オーディオビットストリームの一部の取り出しと、オーディオビットストリームの一部の取り出しが行えた場合のオーディオメモリ５４への前記書き込みとを繰り返す。
　【００２６】
　次に、前記額縁領域内に存在しないと判断する場合の、オーディオビットストリームの一部の取り出しについて説明する。
　データ抽出部８３は、取り出したＡＣ係数のビット数に一致する係数ビット数２０１を判定情報テーブル２００から検索し、一致する係数ビット数２０１に対応する埋込ビット数２０２と判定値２０３とを取り出す。前記取り出したＡＣ係数の絶対値と、判定値２０３とを比較して、ＡＣ係数の絶対値の方が大きいか又は等しい場合には、取り出したＡＣ係数の最下位ビットから埋込ビット数２０２で示されるビット数分のビット列をオーディオビットストリームの一部として取り出す。ＡＣ係数の絶対値の方が小さい場合には、オーディオビットストリームは埋め込まれていないので、ビット列の取り出しは行わない。
　【００２７】
　データ抽出部８３は、受け取った量子化ＤＣＴ係数ブロックが、額縁情報テーブル２５０に記憶されている額縁領域内に存在すると判断する場合、前記受け取った量子化ＤＣＴ係数ブロックの６４個の量子化ＤＣＴ係数のうち、１個のＤＣ係数を除く、６３個のＡＣ係数を、ジグザグスキャンの順序で、１つずつ取り出す。取り出した１つのＡＣ係数をオーディオビットストリームの一部とし、オーディオメモリ５４へ書き込む。データ抽出部８３は、６３個のＡＣ係数について、前記オーディオビットストリームの一部の取り出しと、オーディオビットストリームの一部の取り出しが行えた場合のオーディオメモリ５４への前記書き込みとを繰り返す。
（逆量子化部８２）
　逆量子化部８２は、横８要素×縦８要素、合計６４個の要素からなる量子化テーブルを備え、ハフマン復号化部８４から受け取った量子化ＤＣＴ係数ブロックを構成する各量子化ＤＣＴ係数と、対応する量子化テーブルの各要素とを用いて、式２により、６４個のＤＣＴ係数から構成されるＤＣＴ係数ブロックを生成し、生成したＤＣＴ係数ブロックを逆ＤＣＴ部８１へ出力する。
（式２）
　　ＤＣＴ係数＝量子化ＤＣＴ係数×量子化テーブルの要素
（逆ＤＣＴ部８１）
　逆ＤＣＴ部８１は、逆量子化部８２からＤＣＴ係数ブロックを受け取り、受け取ったＤＣＴ係数ブロックを構成するＤＣＴ係数を用いて、逆離散コサイン変換を施して、静止画像の一部を生成し、生成した静止画像の一部を表示用画像メモリ６１へ書き込む。
（オーディオメモリ５４）
　オーディオメモリ５４は、復号化部６２により復号されたオーディオビットストリームを一時的に記憶する。
（オーディオ復号化部５３）
　オーディオ復号化部５３は、オーディオメモリ５４に記憶されているオーディオビットストリームをＭＰＥＧ１オーディオ符号化の規格に基づいて復号し、音声デジタル信号を生成し、生成した音声デジタル信号を音声再生部５１へ出力する。
（音声再生部５１）
　音声再生部５１は、ＤＡ変換回路、スピーカ１１などから構成され、オーディオ復号化部５３から音声デジタル信号を受け取り、受け取った音声デジタル信号を音声アナログ信号に変換し、前記音声アナログ信号を音声に変換して再生する。
（表示用画像メモリ６１）
　表示用画像メモリ６１は、復号化部６２により復号された静止画を一時的に記憶する。
（画像表示部１３）
　画像表示部１３は、液晶ディスプレイなどから構成され、表示用画像メモリ６１に記憶されている静止画を表示する。
１．２　デジタルスチルカメラ１の動作
　デジタルスチルカメラ１の動作について、説明する。
（デジタルスチルカメラ１の撮影時の動作）
　デジタルスチルカメラ１の撮影時の動作について、図１５に示すフローチャートを用いて、説明する。
　【００２８】
　集音部４１は、シャッターボタン１４が押されたときから５秒間、外部の音声を集音し（ステップＳ１０１）、集音した音声をアナログの電気信号に変換し、アナログの電気信号を４４ｋＨｚのサンプリング周波数でサンプリングし、サンプリングされた各アナログの電気信号を８ビットのデジタル信号に変換し、オーディオ符号化部４３へ出力する（ステップＳ１０２）。オーディオ符号化部４３は、音声が変換されて生成された前記デジタル信号をＭＰＥＧ１オーディオ符号化の規格に基づいて圧縮符号化してオーディオビットストリーム１１１を生成し、生成したオーディオビットストリーム１１１のビット長ｍをカウントし、生成したオーディオビットストリーム１１１をオーディオメモリ４４へ出力し、ビット長ｍを符号化部３４のデータ埋込部７３へ出力する（ステップＳ１０３）。
　【００２９】
　一方、撮像部３１は、シャッターボタン１４が押されたときに、外部を静止画として撮像し（ステップＳ１０４）、撮像した静止画を横６４０画素、縦４８０画素、合計３０７２００画素からなるデジタル化された輝度信号Ｙと、それぞれ横３２０画素、縦２４０画素、合計７６８００画素からなるデジタル化された色差信号Ｃｒ、Ｃｂとに変換し、デジタル化された１画面分の輝度信号Ｙと色差信号Ｃｒ、Ｃｂとを撮影画像メモリ３３へ書き込む（ステップＳ１０５）。
　【００３０】
　符号化部３４は、符号化処理を行って圧縮画像を生成し、生成した圧縮画像を符号用メモリ３５へ書き込み（ステップＳ１０６）、メモリカード入出力部３６は、符号用メモリ３５に記憶されている圧縮画像をメモリカード２０へ書き込む（ステップＳ１０７）。
（符号化部３４の動作）
　符号化部３４の動作について、図１６に示すフローチャートを用いて、説明する。
　【００３１】
　初期値として、変数ｊに０の値を設定し（ステップＳ１１１）、変数ｋに０の値を設定し（ステップＳ１１２）、埋込終了フラグをＯＦＦにセットする（ステップＳ１１３）。ここで、変数ｊは、オーディオビットスリトーム内のビット位置を示し、変数ｋは、１画面分の輝度信号内の、ブロック番号を示す。ブロック番号は、１画面内において、左から右、上から下へ順に数えるものとする。
　【００３２】
　ＤＣＴ部７１は、撮影画像メモリ３３に記憶されているデジタル化された１画面分の輝度信号Ｙ１０１内のｋ番目のブロックを読み出し、読み出したブロック毎に、離散コサイン変換を施して、６４個のＤＣＴ係数から構成されるＤＣＴ係数ブロックを生成し、生成したＤＣＴ係数ブロックを量子化部７２へ出力する（ステップＳ１１４）。
　【００３３】
　量子化部７２は、ＤＣＴ部７１から受け取ったＤＣＴ係数ブロックを構成する各ＤＣＴ係数と、対応する量子化テーブルの各要素とを用いて、式１により、６４個の量子化ＤＣＴ係数から構成される量子化ＤＣＴ係数ブロックを生成し、生成した量子化ＤＣＴ係数ブロックをデータ埋込部７３へ出力する（ステップＳ１１５）。
　【００３４】
　データ埋込部７３は、埋込終了フラグがＯＦＦの場合に（ステップＳ１１６）、ｋ番目のブロックが額縁領域内に存在するか否かを判断し、額縁領域内に存在しない場合（ステップＳ１２０）、額縁領域外の埋込み処理として、量子化ＤＣＴ係数ブロックにオーディオビットストリームの一部を埋め込む（ステップＳ１１７）。額縁領域内に存在する場合（ステップＳ１２０）、額縁領域内の埋込み処理として、量子化ＤＣＴ係数ブロックにオーディオビットストリームの一部を埋め込む（ステップＳ１２１）。
　【００３５】
　ハフマン符号化部７４は、データ埋込部７３から受け取った量子化ＤＣＴ係数ブロックを用いて、ハフマン符号化して、圧縮画像の一部である圧縮符号列を生成し、生成した圧縮符号列を符号用メモリ３５へ書き込む（ステップＳ１１８）。
　ＤＣＴ部７１は、ブロックの読み出しが終了したか否かを、変数ｋにより判断し、変数ｋがデジタル化された１画面分の輝度信号Ｙ１０１内に含まれる全ブロック数４８００よりも大きい場合は（ステップＳ１１９）、処理を終了し、小さいか等しい場合は（ステップＳ１１９）、ステップＳ１１４へ戻って、全ブロックの処理が終了するまで、ＤＣＴ係数ブロックの生成と、量子化ＤＣＴ係数ブロックの生成と、オーディオビットストリームの埋込と、ハフマン符号化とが繰り返される。
　【００３６】
　符号化部３４は、１画面分の輝度信号Ｙと色差信号Ｃｒ、Ｃｂについても、同様に動作する。
（データ埋込部７３の動作）
　データ埋込部７３の動作について、図１７、図１８に示すフローチャートを用いて、説明する。
　【００３７】
　額縁領域外の埋込み処理として、図１７に示すように、データ埋込部７３は、変数ｉを１の値に設定する（ステップＳ１３１）。ここで、変数ｉは、ＡＣ係数の番号を示し、ｉ番目のＡＣ係数をＡＣ（ｉ）で示す。データ埋込部７３は、取り出したＡＣ（ｉ）のビット数に一致する係数ビット数２０１を判定情報テーブル２００から検索し、ＡＣ（ｉ）が３ビットである場合又は４ビットである場合（ステップＳ１３２）、一致する係数ビット数２０１に対応する埋込ビット数２０２と判定値２０３とを取り出し、取り出したＡＣ（ｉ）の絶対値と、判定値２０３とを比較して、ＡＣ（ｉ）の絶対値の方が大きいか又は等しい場合には（ステップＳ１５１）、変数ｊに１の値を加算し（ステップＳ１５２）、変数ｊがオーディオビットストリームの全ビット長ｍよりも大きい場合（ステップＳ１５３）、埋め込み終了フラグにＯＮをセットし（ステップＳ１５５）、処理を終了する。
　【００３８】
　変数ｊがオーディオビットストリームの全ビット長ｍよりも小さいか等しい場合（ステップＳ１５３）、取り出したＡＣ（ｉ）の最下位の１ビットにオーディオビットストリームのビットＡＢ（ｊ）をセットし（ステップＳ１５４）、変数ｉに１の値を加算して（ステップＳ１３４）、変数ｉが６３より大きい場合（ステップＳ１３５）、処理を終了し、変数ｉが６３より小さい又は等しい場合（ステップＳ１３５）、ステップＳ１３２へ戻る。
　【００３９】
　ここで、ＡＢ（ｊ）は、オーディオビットストリーム内で、変数ｊにより示されるビット位置のビットを示す。
　取り出したＡＣ（ｉ）の絶対値と、判定値２０３とを比較して、ＡＣ（ｉ）の絶対値の方が小さい場合には（ステップＳ１５１）、ステップＳ１３４へ制御を移す。
　【００４０】
　ＡＣ（ｉ）が５ビットである場合又は６ビットである場合（ステップＳ１３３）、一致する係数ビット数２０１に対応する埋込ビット数２０２と判定値２０３とを取り出し、取り出したＡＣ（ｉ）の絶対値と、判定値２０３とを比較して、ＡＣ（ｉ）の絶対値の方が大きいか又は等しい場合には（ステップＳ１４１）、変数ｊに１の値を加算し（ステップＳ１４２）、変数ｊがオーディオビットストリームの全ビット長ｍよりも大きい場合（ステップＳ１４３）、ステップ１５５へ制御を進め、埋め込み終了フラグにＯＮをセットし（ステップＳ１５５）、処理を終了する。
　【００４１】
　変数ｊがオーディオビットストリームの全ビット長ｍよりも小さいか等しい場合（ステップＳ１４３）、取り出したＡＣ（ｉ）の最下位から２ビットめにオーディオビットストリームのビットＡＢ（ｊ）をセットし（ステップＳ１４４）、変数ｊに１の値を加算し（ステップＳ１４５）、変数ｊがオーディオビットストリームの全ビット長ｍよりも大きい場合（ステップＳ１４６）、取り出したＡＣ（ｉ）の最下位ビットにオーディオビットストリームのビットＡＢ（ｊ）をセットし（ステップＳ１４７）、ステップＳ１５５へ制御を進め、埋め込み終了フラグにＯＮをセットし（ステップＳ１５５）、処理を終了する。
　【００４２】
　変数ｊがオーディオビットストリームの全ビット長ｍよりも小さいか等しい場合（ステップＳ１４６）、取り出したＡＣ（ｉ）の最下位ビットにオーディオビットストリームのビットＡＢ（ｊ）をセットし（ステップＳ１４８）、ステップＳ１３４へ制御を戻す。
　取り出したＡＣ（ｉ）の絶対値と、判定値２０３とを比較して、ＡＣ（ｉ）の絶対値の方が小さい場合には（ステップＳ１４１）、ステップＳ１３４へ制御を戻す。
　【００４３】
　なお、本実施の形態では、ＡＣ係数は、３ビット、４ビット、５ビット又は６ビットのいずれかを取るとしているので、ＡＣ（ｉ）が３ビットでなく４ビットでなく（ステップＳ１３２）、かつＡＣ（ｉ）が５ビットでなく６ビットでない（ステップＳ１３３）場合は、ありえない。
　額縁領域内の埋込み処理として、図１８に示すように、データ埋込部７３は、変数ｉを１の値に設定する（ステップＳ１７１）。
　【００４４】
　オーディオビットストリームのビットＡＢ（ｊ）から始まり、ＡＣ（ｉ）のビット数分のビット列を、ＡＣ（ｉ）に書き込み（ステップＳ１７２）、変数ｊにＡＣ（ｉ）のビット数を加算する（ステップＳ１７３）。
　変数ｊがオーディオビットストリームの全ビット長ｍよりも大きい場合（ステップＳ１７４）、埋め込み終了フラグにＯＮをセットし（ステップＳ１７７）、処理を終了する。
　【００４５】
　変数ｊがオーディオビットストリームの全ビット長ｍよりも小さいか等しい場合（ステップＳ１７４）、変数ｉに１の値を加算して（ステップＳ１７５）、変数ｉが６３より大きい場合（ステップＳ１７６）、処理を終了し、変数ｉが６３より小さい又は等しい場合（ステップＳ１７６）、ステップＳ１７２へ戻る。
（デジタルスチルカメラ１の再生時の動作）
　デジタルスチルカメラ１の再生時の動作について、図１９に示すフローチャートを用いて、説明する。
　【００４６】
　メモリカード入出力部３６は、利用者により再生ボタン２１ａ、２１ｂが操作された場合に、メモリカード２０に記憶されている圧縮画像を符号用メモリ３５へ読み出す（ステップＳ２０１）。
　復号化部６２は、符号用メモリ３５に記憶されている圧縮画像を復号して静止画とオーディオビットストリームを生成し、静止画を表示用画像メモリ６１へ書き込み、オーディオビットストリームをオーディオメモリ５４へ書き込む（ステップＳ２０２）。
　【００４７】
　画像表示部１３は、表示用画像メモリ６１に記憶されている静止画を表示する（ステップＳ２０３）。
　一方、オーディオ復号化部５３は、オーディオメモリ５４に記憶されているオーディオビットストリームをＭＰＥＧ１オーディオ符号化の規格に基づいて復号し（ステップＳ２０４）、音声デジタル信号を生成し、生成した音声デジタル信号を音声再生部５１へ出力し（ステップＳ２０５）、音声再生部５１は、オーディオ復号化部５３から音声デジタル信号を受け取り、受け取った音声デジタル信号を音声アナログ信号に変換し、前記音声アナログ信号を音声に変換して再生する（ステップＳ２０６）。
（復号化部６２の動作）
　復号化部６２の動作について、図２０に示すフローチャートを用いて、説明する。
　【００４８】
　ハフマン復号化部８４は、符号用メモリ３５に記憶されている圧縮画像からブロックの先頭コードを検出し（ステップＳ２１２）、圧縮画像をブロック毎にハフマン復号して、６４個の量子化ＤＣＴ係数からなる量子化ＤＣＴ係数ブロックを生成し、生成した量子化ＤＣＴ係数ブロックをデータ抽出部８３と逆量子化部８２とへ出力する（ステップＳ２１３）。
　【００４９】
　データ抽出部８３は、ハフマン復号化部８４から量子化ＤＣＴ係数ブロックを受け取り、量子化ＤＣＴ係数ブロックが額縁領域内に存在しない場合（ステップＳ２１８）、額縁領域外の処理として、前記受け取った量子化ＤＣＴ係数ブロックからオーディオビットストリームの一部を取り出し、取り出したオーディオビットストリームの一部をオーディオメモリ５４へ書き込む（ステップＳ２１４）。量子化ＤＣＴ係数ブロックが額縁領域内に存在する場合（ステップＳ２１８）、額縁領域内の処理として、前記受け取った量子化ＤＣＴ係数ブロックからオーディオビットストリームの一部を取り出し、取り出したオーディオビットストリームの一部をオーディオメモリ５４へ書き込む（ステップＳ２１９）。
　【００５０】
　逆量子化部８２は、ハフマン復号化部８４から受け取った量子化ＤＣＴ係数ブロックを構成する各量子化ＤＣＴ係数と、対応する量子化テーブルの各要素とを用いて、式２により、６４個のＤＣＴ係数から構成されるＤＣＴ係数ブロックを生成し、生成したＤＣＴ係数ブロックを逆ＤＣＴ部８１へ出力する（ステップＳ２１５）。
　【００５１】
　逆ＤＣＴ部８１は、逆量子化部８２からＤＣＴ係数ブロックを受け取り、受け取ったＤＣＴ係数ブロックを構成するＤＣＴ係数を用いて、逆離散コサイン変換を施して、静止画像の一部を生成し、生成した静止画像の一部を表示用画像メモリ６１へ書き込む（ステップＳ２１６）。
　ハフマン復号化部８４は、符号用メモリ３５に記憶されている圧縮画像の読み出しの終了を検出すると（ステップＳ２１７）、処理を終了する。ハフマン復号化部８４の圧縮画像の読み出しが終了していないならば（ステップＳ２１７）、ステップＳ２１２へ戻って、ブロックの先頭コードの検出と、量子化ＤＣＴ係数ブロックの生成と、オーディオビットストリームの一部の抽出と、ＤＣＴ係数ブロックの生成と、画像ブロックの生成とを繰り返す。
（データ抽出部８３の動作）
　データ抽出部８３の動作について、図２１、２２に示すフローチャートを用いて、説明する。
　【００５２】
　額縁領域外の場合、図２１に示すように、データ抽出部８３は、変数ｉを１の値に設定する（ステップＳ２３１）。ここで、変数ｉは、ＡＣ係数の番号を示し、ｉ番目のＡＣ係数をＡＣ（ｉ）で示す。データ抽出部８３は、取り出したＡＣ（ｉ）のビット数に一致する係数ビット数２０１を判定情報テーブル２００から検索し、ＡＣ（ｉ）が３ビットである場合又は４ビットである場合（ステップＳ２３２）、一致する係数ビット数２０１に対応する埋込ビット数２０２と判定値２０３とを取り出し、取り出したＡＣ（ｉ）の絶対値と、判定値２０３とを比較して、ＡＣ係数の絶対値の方が大きいか又は等しい場合には（ステップＳ２５０）、取り出したＡＣ（ｉ）の最下位ビットをオーディオビットストリームＡＢ（ｊ）にセットし（ステップＳ２５１）、変数ｊに１の値を加算して（ステップＳ２５２）、変数ｉに１の値を加算し（ステップＳ２３４）、変数ｉが６３より大きい場合（ステップＳ２３５）、処理を終了し、変数ｉが６３より小さい又は等しい場合（ステップＳ２３５）、ステップＳ２３２へ戻り、オーディオビットストリームの抽出を繰り返す。
　【００５３】
　取り出したＡＣ（ｉ）の絶対値と、判定値２０３とを比較して、ＡＣ係数の絶対値の方が小さい場合には（ステップＳ２５０）、ステップＳ２３４へ制御を移す。
　ＡＣ（ｉ）が５ビットである場合又は６ビットである場合（ステップＳ２３３）、一致する係数ビット数２０１に対応する埋込ビット数２０２と判定値２０３とを取り出し、取り出したＡＣ（ｉ）の絶対値と、判定値２０３とを比較して、ＡＣ係数の絶対値の方が大きいか又は等しい場合には（ステップＳ２４０）、取り出したＡＣ（ｉ）の最下位から２ビットめをオーディオビットストリームＡＢ（ｊ）にセットし（ステップＳ２４１）、変数ｊに１の値を加算し（ステップＳ２４２）、取り出したＡＣ（ｉ）の最下位ビットをオーディオビットストリームＡＢ（ｊ）にセットし（ステップＳ２４３）、変数ｊに１の値を加算して（ステップＳ２４４）、ステップＳ２３４へ制御を移す。
　【００５４】
　取り出したＡＣ（ｉ）の絶対値と、判定値２０３とを比較して、ＡＣ係数の絶対値の方が小さい場合には（ステップＳ２４０）、ステップＳ２３４へ制御を移す。
　なお、本実施の形態では、ＡＣ係数は、３ビット、４ビット、５ビット又は６ビットのいずれかを取るとしているので、ＡＣ（ｉ）が３ビットでなく４ビットでなく（ステップＳ２３２）、かつＡＣ（ｉ）が５ビットでなく６ビットでない（ステップＳ２３３）場合は、ありえない。
　【００５５】
　額縁領域内の場合、図２２に示すように、データ抽出部８３は、変数ｉを１の値に設定する（ステップＳ２７１）。データ抽出部８３は、オーディオビットストリーム１１１のビットＡＢ（ｊ）から始まり、ＡＣ（ｉ）のビット数分のビット列に、ＡＣ（ｉ）を書き込み（ステップＳ２７２）、変数ｊにＡＣ（ｉ）のビット数を加算する（ステップＳ２７３）。変数ｉに１の値を加算し（ステップＳ２７４）、変数ｉが６３より大きい場合（ステップＳ２７５）、処理を終了し、変数ｉが６３より小さい又は等しい場合（ステップＳ２７５）、ステップＳ２７１へ戻る。
１．３　適用例
　水平６４０画素×垂直４８０画素、ＲＧＢ各８ビットのフルカラーの画像に対して、上記の実施の形態１に示す方法を実際に適用した。
　【００５６】
　輝度信号及び色差信号の量子化ＤＣＴ係数が、４ビット以上の場合に量子化ＤＣＴ係数の下位２ビットに、３ビットの場合に下位１ビットに、乱数を用いて発生させた別のデータを埋め込んだ。
　別のデータを埋め込まない場合の圧縮画像の容量は、７５ｋバイト、埋め込んだ別のデータの容量は、２０．５ｋバイト、埋め込んだ後の圧縮画像の容量は７５ｋバイトである。従って、埋め込んだ後の圧縮画像の容量に対して、約２７．３％のデータを埋め込むことができた。
１．４　まとめ
　以上説明したように、データの埋め込み領域を画像周辺の額縁領域として持ち、額縁領域以外の領域には、単位面積当たり一定量の透かし情報を書き込み、額縁領域には、単位面積当たり前記額縁領域以外の領域より多い量の透かし情報を書き込む。また、これらの透かし情報を読み出す。
　【００５７】
　これにより、額縁領域に多量のデータを埋め込むことができる。額縁領域では画質劣化が著しく発生するが、画像の主要部分以外を額縁領域として設定すれば、画像劣化が問題とならない。例えば、画像の中央部が主要部分であるなら、画像の周辺部分を額縁領域とすればよい。
　こうして、画像の主要部分に画質劣化を起こさず品質を保ちながら、他のデータを付加して画像を圧縮できるという効果がある。
１．５　その他の変形例
（１）画像情報に、他のデータを透かし情報として書き込む方法は、上記の実施の形態に示す埋め込み方法に限らない。他の方法であっても構わない。
（２）上記の実施の形態では、額縁領域以外の領域にも、透かし情報を書き込むとしているが、額縁領域以外の領域には、他の情報は埋め込まないとしてもよい。
（３）上記の実施の形態では、静止画に音声情報を書き込むとしているが、動画に音声情報を書き込むとしてもよい。
（４）図２３にその他の額縁領域のパターンの例を示す。図２３（ａ）では、画像の４隅にそれぞれ額縁領域を設けた。図２３（ｂ）では、画像の中央の楕円形状部分の周辺を額縁領域とした。図２３（ｃ）では、画像の中央のハート形状部分の周辺を額縁領域とした。これらの額縁領域は、それぞれ複数の小さい矩形領域に分割できるので、額縁情報テーブル２５０として表現できる。
（５）額縁情報テーブル２５０は、複数の額縁領域を示す情報を、各額縁領域を識別する額縁番号とともに記憶しており、データ埋込部７３は、１画面分の量子化ＤＣＴ係数の、最初のＡＣ成分の量子化ＤＣＴ係数に、額縁番号を埋め込み、データ抽出部８３は、１画面分の量子化ＤＣＴ係数の、最初のＡＣ成分の量子化ＤＣＴ係数から額縁番号を抽出して、複数の額縁領域から１つの額縁領域を識別するとしてもよい。
（６）額縁情報テーブル２５０は、額縁領域以外の領域を示す情報を記憶しているとしてもよい。この場合、データ埋込部７３は、受け取った量子化ＤＣＴ係数ブロックが、額縁領域以外の領域に存在するか否かを判断する。
（７）輝度信号の場合と、色差信号の場合とにおいて、異なる額縁領域を設定してもよい。
（８）音声の圧縮方法は別の圧縮方法でもよい。
（９）実施の形態１と実施の形態２において、静止画に音声を付加するとしているが、音声でなくてもよい。音声の代わりに、他の画像、著作者を示す情報、音楽情報、テキスト情報であってもよい。
（１０）別の実施の形態の一つは、上記により示される画像記録方法及び画像再生方法であるとしてもよい。また、前記方法をコンピュータに実行させるプログラムを含むコンピュータ読み取り可能な記録媒体としてもよい。さらに、前記プログラムを通信回線を介して伝送するとしてもよい。また、前記生成された圧縮画像を記録しているコンピュータ読み取り可能な記録媒体としてもよい。
（１１）実施の形態１及び上記の変形例をそれぞれ組み合わせるとしてもよい。
　【００５８】
　【発明の効果】
　以上説明したように、本発明は、１画面分の画像情報に他の情報を埋め込んで記録する画像記録装置であって、１画面の一部の領域を示す領域情報を記憶している領域記憶手段と、１画面分の画像情報と他の情報とを受け取る受信手段と、各画像情報が前記領域情報により示される領域に含まれるか否かを判断する判断手段と、前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段とを備え、前記第１の埋込方法による前記画像情報の画質の劣化は、前記第２の埋込方法による前記画像情報の画質の劣化より大きいことを特徴とする。
　ここで、前記一部の領域は、前記画面の主要部分以外であるとしてもよい。
　ここで、前記第１の埋込方法では、前記画像情報の全桁に前記他の情報の一部を埋め込み、前記第２の埋込方法では、前記画像情報の下位桁に前記他の情報の一部を埋め込むとしてもよい。
　【００５９】
　
この構成によると、前記領域情報により示される領域に含まれない画像情報において画質劣化を少なくしつつ、他の情報を埋め込むことができるという効果がある。
　【００６０】
　また、本発明は、前記画像記録装置により、他の情報が埋め込まれた１画面分の画像情報から画像を再生し、他の情報を読み出す画像再生装置であって、１画面の一部の領域を示す領域情報を記憶している領域記憶手段と、他の情報が埋め込まれた１画面分の画像情報を受け取る受信手段と、各画像情報が前記領域情報により示される領域に含まれるか否かを判断する判断手段と、前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、前記他の情報が埋め込まれた１画面分の画像情報を再生する再生手段とを備え、前記第１の抽出方法は、前記第１の埋込方法により埋め込まれた情報を抽出する方法であり、前記第２の抽出方法は、前記第２の埋込方法により埋め込まれた情報を抽出する方法であることを特徴とする。
　ここで、前記一部の領域は、前記画面の主要部分以外であるとしてもよい。
　ここで、前記第１の抽出方法では、前記画像情報の全桁から前記他の情報の一部を抽出し、前記第２の抽出方法では、前記画像情報の下位桁から前記他の情報の一部を抽出するとしてもよい。
　【００６１】
　この構成によると、
前記領域情報により示される領域
　また、本発明は、１画面分の画像情報に他の情報を埋め込んで記録し、他の情報が埋め込まれた１画面分の画像情報から画像を再生し他の情報を読み出す画像記録再生装置であって、１画面の一部の領域を示す領域情報を記憶している領域記憶手段と、１画面分の画像情報と他の情報とを受け取る受信手段と、各画像情報が前記領域情報により示される領域に含まれるか否かを判断する判断手段と、前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込手段と、前記他の情報の一部が埋め込まれた画像情報を含む１画面分の画像情報を記憶する記憶手段と、前記記憶手段から他の情報が埋め込まれた１画面分の画像情報を読み出す画像読出手段と、各画像情報が前記領域情報により示される領域に含まれるか否かを判断する判断手段と、前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出手段と、前記他の情報が埋め込まれた１画面分の画像情報を再生する再生手段とを備え、前記第１の埋込方法による前記画像情報の画質の劣化は、前記第２の埋込方法による前記画像情報の画質の劣化より大きく、前記第１の抽出方法は、前記第１の埋込方法により埋め込まれた情報を抽出する方法であり、前記第２の抽出方法は、前記第２の埋込方法により埋め込まれた情報を抽出する方法である。
　【００６２】
　
この構成によると、前記領域情報により示される領域に含まれない画像情報において画質劣化を少なくしつつ、他の情報を埋め込むことができるという効果がある。
前記領域情報により示される領域
　【００６３】
　以上説明したように、本発明は、１画面の一部の領域を示す領域情報を記憶している領域記憶手段を備え１画面分の画像情報に他の情報を埋め込んで記録する画像記録装置で用いられる画像記録方法であって、１画面分の画像情報と他の情報とを受け取る受信ステップと、各画像情報が前記領域情報により示される領域に含まれるか否かを判断する判断ステップと、前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込ステップとを含み、前記第１の埋込方法による前記画像情報の画質の劣化は、前記第２の埋込方法による前記画像情報の画質の劣化より大きい。
　【００６４】
　この方法を用いると、
前記領域情報により示される領域に含まれない画像情報において画質劣化を少なくしつつ、他の情報を埋め込むことができるという効果がある。
　【００６５】
　また、本発明は、１画面の一部の領域を示す領域情報を記憶している領域記憶手段を備え請求項１に記載の画像記録装置により、他の情報が埋め込まれた１画面分の画像情報から画像を再生し、他の情報を読み出す画像再生装置で用いられる画像再生方法であって、他の情報が埋め込まれた１画面分の画像情報を受け取る受信ステップと、各画像情報が前記領域情報により示される領域に含まれるか否かを判断する判断ステップと、前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出ステップと前記他の情報が埋め込まれた１画面分の画像情報を再生する再生ステップとを含み、前記第１の抽出方法は、前記第１の埋込方法により埋め込まれた情報を抽出する方法であり、前記第２の抽出方法は、前記第２の埋込方法により埋め込まれた情報を抽出する方法である。
　【００６６】
　この方法を用いると、
前記領域情報により示される領域
　また、本発明は、１画面の一部の領域を示す領域情報を記憶している領域記憶手段を備え１画面分の画像情報に他の情報を埋め込んで記録するコンピュータで用いられる画像記録プログラムを記録している記録媒体であって、前記プログラムは、１画面分の画像情報と他の情報とを受け取る受信ステップと、各画像情報が前記領域情報により示される領域に含まれるか否かを判断する判断ステップと、前記領域情報により示される領域に含まれる画像情報に対して、第１の埋込方法により、前記他の情報の一部を埋め込み、前記領域情報により示される領域に含まれない画像情報に対して、第２の埋込方法により、前記他の情報の一部を埋め込む埋込ステップとを含み、前記第１の埋込方法による前記画像情報の画質の劣化は、前記第２の埋込方法による前記画像情報の画質の劣化より大きい。
　【００６７】
　このプログラムをコンピュータにより実行することにより、
前記領域情報により示される領域に含まれない画像情報において画質劣化を少なくしつつ、他の情報を埋め込むことができるという効果がある。
　【００６８】
　また、本発明は、１画面の一部の領域を示す領域情報を記憶している領域記憶手段を備え請求項１に記載の画像記録装置により他の情報が埋め込まれた１画面分の画像情報から画像を再生し、他の情報を読み出すコンピュータで用いられる画像再生プログラムを記録している記録媒体であって、前記プログラムは、他の情報が埋め込まれた１画面分の画像情報を受け取る受信ステップと、各画像情報が前記領域情報により示される領域に含まれるか否かを判断する判断ステップと、前記領域情報により示される領域に含まれる画像情報から、第１の抽出方法により前記他の情報の一部を読み出し、前記領域情報により示される領域に含まれない画像情報から、第２の抽出方法により前記他の情報の一部を読み出す読出ステップと前記他の情報が埋め込まれた１画面分の画像情報を再生する再生ステップとを含み、前記第１の抽出方法は、前記第１の埋込方法により埋め込まれた情報を抽出する方法であり、前記第２の抽出方法は、前記第２の埋込方法により埋め込まれた情報を抽出する方法である。
　【００６９】
　このプログラムをコンピュータにより実行することにより、
前記領域情報により示される領域
【図面の簡単な説明】
　【図１】
　本発明の１つの実施の形態としてのデジタルスチルカメラ１の正面上部からの斜視図である。
　【図２】
　デジタルスチルカメラ１の背面上部からの斜視図である。
　【図３】
　デジタルスチルカメラ１のブロック図である。
　【図４】
　デジタルスチルカメラ１の符号化部のブロック図である。
　【図５】
　デジタルスチルカメラ１の復号化部のブロック図である。
　【図６】
　デジタルスチルカメラ１の撮影画像メモリに記憶されている１画面分の輝度信号Ｙを示す。
　【図７】
　デジタルスチルカメラ１の判定情報テーブルの一例を示す。
　【図８】
　デジタルスチルカメラ１の額縁情報テーブルの一例を示す。
　【図９】
　デジタルスチルカメラ１の額縁領域の一例を示す。
　【図１０】
　デジタルスチルカメラ１の判定情報テーブルに記憶されている量子化ＤＣＴ係数のビット数と、データの埋め込み位置との関係を示す一例である。
　【図１１】
　デジタルスチルカメラ１の額縁領域の量子化ＤＣＴ係数と、データの埋め込み位置との関係を示す一例である。
　【図１２】
　デジタルスチルカメラ１において、オーディオビットストリーム１１１が１画面分の輝度信号Ｙの量子化ＤＣＴ係数にどのように埋めこまれるかを示す。
　【図１３】
　デジタルスチルカメラ１において、オーディオビットストリーム１１１に含まれるビット列１２３が、額縁領域内のブロック１３３に、どのように埋めこまれるかを示す。
　【図１４】
　デジタルスチルカメラ１において、オーディオビットストリーム１１１に含まれるビット列１２４が、額縁領域外のブロック１３４に、どのように埋めこまれるかを示す。
　【図１５】
　デジタルスチルカメラ１の撮影時の動作を示すフローチャートである。
　【図１６】
　デジタルスチルカメラ１の符号化部３４の動作を示すフローチャートである。
　【図１７】
　デジタルスチルカメラ１のデータ埋込部７３の額縁領域外での動作を示すフローチャートである。
　【図１８】
　デジタルスチルカメラ１のデータ埋込部７３の額縁領域内での動作を示すフローチャートである。
　【図１９】
　デジタルスチルカメラ１の再生時の動作を示すフローチャートである。
　【図２０】
　デジタルスチルカメラ１の復号化部６２の動作を示すフローチャートである。
　【図２１】
　デジタルスチルカメラ１のデータ抽出部８３の額縁領域外での動作を示すフローチャートである。
　【図２２】
　デジタルスチルカメラ１のデータ抽出部８３の額縁領域内での動作を示すフローチャートである。
　【図２３】
　額縁領域の他のパターンの一例を示す。
　【符号の説明】
　１１　　スピーカ
　１２　　マイク
　１３　　画像表示部
　１４　　シャッターボタン
　１５　　状態表示部
　１７　　ファインダー
　１８　　レンズ
　１９　　メモリカード挿入口
　２０　　メモリカード
　２１ａ　再生ボタン
　２１ｂ　再生ボタン
　３１　　撮像部
　３３　　撮影画像メモリ
　３４　　符号化部
　３５　　符号用メモリ
　３６　　メモリカード入出力部
　３７　　判定値記憶部
　４１　　集音部
　４３　　オーディオ符号化部
　４４　　オーディオメモリ
　５１　　音声再生部
　５３　　オーディオ復号化部
　５４　　オーディオメモリ
　６１　　表示用画像メモリ
　６２　　復号化部
　７１　　ＤＣＴ部
　７２　　量子化部
　７３　　データ埋込部
　７４　　ハフマン符号化部
　８１　　逆ＤＣＴ部
　８２　　逆量子化部
　８３　　データ抽出部
　８４　　ハフマン復号化部
【図面】